(57)【要約】  本発明はキャンピング、ハイキング、釣り、野外コンサート及びスポーツ行事など野外活動時に椅子シーツに組み合わせて便利に使うことができるもので、板状の支持体と、前記支持体の上部に複数個の上部接続チューブが放射状に形成された上部体と、前記支持体の下部に複数個の下部接続チューブが放射状に形成された下部体を含む中央ハブ；前記下部接続チューブに脱着できるように接続され、内部に弾性コードが備えられるし、下端に形成された底部が底面に接触される複数個の下部ショートフレーム；前記上部接続チューブに脱着できるように接続され、内部に弾性コードが備えられるし、上端に形成された挿入部が椅子シーツのシーツ部のコーナーに挿入される複数個の上部ショートフレーム；及び前記上部接続チューブに脱着できるように接続され、中間に折曲部が形成されて、内部に弾性コードが備えられるし、上端に形成された挿入部が椅子シーツの背もたれ部のコーナーに挿入される複数個の上部ロングフレーム；を含む簡易椅子のフレーム構造体を提供する。
2017507767.tif 000002
【特許請求の範囲】
【請求項１】
板状の支持体と、前記支持体の上部に複数個の上部接続チューブが放射状に形成された上部体と、前記支持体の下部に複数個の下部接続チューブが放射状に形成された下部体を含む中央ハブ；
前記下部接続チューブに脱着できるように接続され、内部に弾性コードが備えられるし、下端に形成された底部が底面に接触される複数個の下部ショートフレーム；
前記上部接続チューブに脱着できるように接続され、内部に弾性コードが備えられるし、上端に形成された挿入部が椅子シーツのシーツ部コーナーに挿入される複数個の上部ショートフレーム；及び
前記上部接続チューブに脱着できるように接続され、中間に折曲部が形成されるし、内部に弾性コードが備えられ、上端に形成された挿入部が椅子シーツの背もたれ部のコーナーに挿入される複数個の上部ロングフレーム；を含む、簡易椅子のフレーム構造体。
【請求項２】
前記上部接続チューブは、上側に向かって所定の角度だけ傾くように形成され、上部に上部補強リーブが形成されるし、複数個の上部補強リーブが中央で互いに繋がったことを特徴とする、請求項１に記載の簡易椅子のフレーム構造体。
【請求項３】
前記下部接続チューブは、下側に向かって所定の角度だけ傾くように形成され、下部に下部補強リーブが形成されるし、複数個の下部補強リーブが中央で互いに繋がったことを特徴とする、請求項１に記載の簡易椅子のフレーム構造体。
【請求項４】
前記上部接続チューブ及び下部接続チューブは支持リーブによって互いに繋がっていることを特徴とする、請求項１に記載の簡易椅子のフレーム構造体。
【請求項５】
前記下部ショートフレームは前記底部に底キャップが形成されていることを特徴とする、請求項１に記載の簡易椅子のフレーム構造体。
【請求項６】
前記上部ショートフレーム及び上部ロングフレームは前記挿入部に端部キャップが形成されていることを特徴とする、請求項１に記載の簡易椅子のフレーム構造体。
【請求項７】
前記挿入部は椅子シーツのコーナーに備えられたポケットの内部に挿入されて椅子シーツと組み合わされるが、
前記椅子シーツはシーツ部が前記中央ハブと接触されないことを特徴とする、請求項６に記載の簡易椅子のフレーム構造体。
【請求項８】
前記折曲部は前記上部ロングフレームの下部にラウンドとなるように折曲形成されたことを特徴とする、請求項１に記載の簡易椅子のフレーム構造体。
【請求項９】
前記下部ショートフレーム、上部ショートフレーム及び上部ロングフレームのいずれか一つ以上は複数個のセクションからなることを特徴とする、請求項１に記載の簡易椅子のフレーム構造体。
【発明の詳細な説明】
【技術分野】
【０００１】
本発明は、簡易椅子のフレーム構造体に関するもので、より詳細には、キャンピング、ハイキング、釣り、野外コンサート及びスポーツ行事などの野外活動時に椅子のシーツに組み合わせて便利に使うことができる簡易椅子のフレーム構造体に関する。
【背景技術】
【０００２】
簡易椅子とは、室内用椅子を使うことができない野外活動時に簡便に携帯して便利に使えるように作られたもので、一般的に家庭で使われる椅子はキャンピング、ハイキング、釣り、野外コンサート及びスポーツ行事のような大概の野外活動で携帯用としての使用には適していない。
【０００３】
このような野外活動のための簡易椅子は、軽くてコンパクトであり、携帯性があることは勿論、使用者の荷重を充分に支持することができるほど丈夫で耐久性がなければならない。
【０００４】
従来の技術として、特許文献１には、脚と背もたれフレーム機能を同時にする左右フレームの間に左右脚とシーツが角運動しながら展開あるいは折帖できるようにした野外用椅子において、前記左右フレームの上部には横方向に背もたれが一体と形成され、前記左右フレームの間には左右脚の中断上部がヒンジボルトによって後側に角運動が展開できるように設けられる。また、前記脚の上端はシーツの底部中央部とヒンジボルトによって角運動が展開できるように繋がって、前記シーツの後段の左右にはストッパーが形成され、左右フレームに上下方向に形成されたスライド溝に沿って展開及び折帖作動時にスライドして案内されるようにしたことを特徴とする野外用椅子が開示されている。
【０００５】
また、特許文献２にはアルミニウムからなる金属フレームと、金属フレームに設けられる布材質の椅子カバーからなり、椅子の後脚には高さが調節できる手段が設けられる野外キャンピング用折綴式椅子において、椅子の後脚の高さが調節できる手段は後脚に設けられる補助脚であり、後脚には手で押すと後脚の内側方向へ押されて、押さなければ外部へ突出されるように後脚の内側に設けられる弾性手段によって外部へ突出されて弾性支持される一方、後脚の長手方向に設けられる多数の突起手段と、固定手段によって後脚に固定されて補助脚の移動を案内する第１案内具が設けられ、前記補助脚には固定手段によって前記補助脚に固定されて後脚の移動を案内する第２案内具が設けられ、前記第２案内具の表面には前記後脚の突起手段が嵌められる突起孔が形成されていることを特徴とする、野外キャンピング用折綴式椅子が開示されている。
【０００６】
しかし、特許文献１の野外用椅子は、キャンピングやハイキングに使うために携帯して持ち歩くには大きいという問題がある。
【０００７】
また、特許文献２の野外キャンピング用折綴式椅子は多数の部材が必要であって構成が複雑なだけでなく、後脚を繋ぐためにヒンジ孔、突起手段、第１案内具、固定手段などと、補助脚を繋ぐためにヒンジ軸、突起孔、第２案内具、固定手段などを備えて互いに結合しなければならないので、部材の間の組み合わせが容易ではなく、ヒンジ手段による結合力が弱くて使用者の荷重を充分に支持できない問題がある。
【先行技術文献】
【特許文献】
【０００８】
【特許文献１】韓国登録実用新案第０２９２６０４号公報（２００２．１０．２５．公開）
【特許文献２】韓国登録特許第１０−１１２１６５２号公報（２０１２．０３．０９．公開）
【発明の概要】
【発明が解決しようとする課題】
【０００９】
本発明は上述した問題を解決するために案出されたもので、組み立てが容易であり、コンパクトに折りたたんで保管することができ、携帯性が優秀であることは勿論、構造が簡単で、製造が容易であり、中央ハブの支持を受けて堅固な結合力を持つ構造体になって、使用者の荷重を充分に支持できるほど丈夫な耐久性を持つ簡易椅子のフレーム構造体を提供することにその目的がある。
【課題を解決するための手段】
【００１０】
前記課題を解決するためで本発明は、板状の支持体と、前記支持体の上部に複数個の上部接続チューブが放射状に形成された上部体と、前記支持体の下部に複数個の下部接続チューブが放射状に形成された下部体を含む中央ハブ；前記下部接続チューブに脱着できるように接続され、内部に弾性コードが備えられるし、下端に形成された底部が底面に接触される複数個の下部ショートフレーム；前記上部接続チューブに脱着できるように接続され、内部に弾性コードが備えられるし、上端に形成された挿入部が椅子シーツのシーツ部のコーナーに挿入される複数個の上部ショートフレーム；及び前記上部接続チューブに脱着できるように接続され、中間に折曲部が形成されるし、内部に弾性コードが備えられ、上端に形成された挿入部が椅子シーツの背もたれ部のコーナーに挿入される複数個の上部ロングフレーム；を含む簡易椅子のフレーム構造体を提供する。
【発明の効果】
【００１１】
本発明によると、組み立てが容易であり、コンパクトに折りたたんで保管することができるので、携帯性が優秀であることは勿論、構造が簡単で、製造が容易であり、中央ハブの支持を受けて堅固な結合力を持つ構造体になって、使用者の荷重を充分に支持できるほど丈夫な耐久性を持つ効果がある。
【図面の簡単な説明】
【００１２】
【図１】本発明の実施例による簡易椅子のフレーム構造体の斜視図である。
【図２】本発明の実施例による簡易椅子のフレーム構造体の正面図である。
【図３】本発明の実施例による簡易椅子のフレーム構造体の一側面図である。
【図４】本発明の実施例による簡易椅子のフレーム構造体の平面図である。
【図５】本発明の実施例による簡易椅子のフレーム構造体の底面図である。
【図６ａ】本発明の実施例による簡易椅子のフレーム構造体に椅子シーツを繋いだ使用状態図である。
【図６ｂ】本発明の実施例による簡易椅子のフレーム構造体に椅子シーツを繋いだ使用状態図である。
【図６ｃ】本発明の実施例による簡易椅子のフレーム構造体に椅子シーツを繋いだ使用状態図である。
【図６ｄ】本発明の実施例による簡易椅子のフレーム構造体に椅子シーツを繋いだ使用状態図である。
【図７ａ】内部の弾性コードによって折りたたまれる構造を示した本発明の実施例の図面である。
【図７ｂ】内部の弾性コードによって折りたたまれる構造を示した本発明の実施例の図面である。
【図７ｃ】内部の弾性コードによって折りたたまれる構造を示した本発明の実施例の図面である。
【図８】本発明の実施例による簡易椅子のフレーム構造体をスキンに包んで保管した図面である。
【図９】本発明の実施例による簡易椅子のフレーム構造体をかばんに入れて保管した図面である。
【発明を実施するための形態】
【００１３】
以下、図面を参照して本発明による簡易椅子のフレーム構造体を実施するための具体的内容について、実施例を中心にして詳細に説明する。
【００１４】
本発明による簡易椅子のフレーム構造体１は、キャンピング、ハイキング、釣り、野外コンサート及びスポーツ行事などの野外活動時に椅子シーツ５００に組み合わせて便利に使うことができるものであって、中央ハブ１００と、内部が中空形成されてパイプの形象を持つ下部ショートフレーム２００、上部ショートフレーム３００及び上部ロングフレーム４００がそれぞれ複数個含まれてなり、外側に向かって互いに開かれるように配置形成される。
【００１５】
図１ないし図５を参考すれば、前記中央ハブ１００は前記下部ショートフレーム２００、上部ショートフレーム３００及び上部ロングフレーム４００が組み合わされる部分であって、板状の支持体１１０を備え、この時の前記支持体１１０は原板でなることが望ましい。
【００１６】
また、前記中央ハブ１００は前記支持体１１０の上部に前記上部ショートフレーム３００と上部ロングフレーム４００と組み合わされる上部体１２０が形成され、前記支持体１１０の下部に前記下部ショートフレーム２００と組み合わされる下部体１３０が形成される。
【００１７】
ここで、前記上部体１２０は複数個の上部接続チューブ１２１が放射状に形成され、前記支持体１１０の外側に延長形成されて前記上部ショートフレーム３００及び上部ロングフレーム４００の下端部と接続して繋がって、前記下部体１３０は複数個の下部接続チューブ１３１が放射状に形成され、前記支持体１１０の外側に延長形成されて前記下部ショートフレーム２００の上端部と接続して繋がる。
【００１８】
同時に、前記上部接続チューブ１２１は上側に向かって所定の角度だけ傾くように形成され、前記上部ショートフレーム３００及び上部ロングフレームが上側に向かって繋がるように備えられるし、上部には上部補強リーブ１２２が上側へ突出形成されて複数個の上部補強リーブ１２２が中央で互いに会って繋がることで、前記上部体１２０の強度を補強する。
【００１９】
これと共に、前記下部接続チューブ１３１は下側に向かって所定の角度だけ傾くように形成され、前記下部ショートフレーム２００が下側に向かって繋がるように備えられるし、下部には下部補強リーブ１３２が下側に突出形成されて複数個の下部補強リーブ１３２が中央で互いに会って繋がることで、前記下部体１２０の強度を補強する。
【００２０】
そして、前記上部接続チューブ１２１と下部接続チューブ１３１は支持リーブ１４０によって互いに繋がって、上部接続チューブ１２１と下部接続チューブ１３１の間の空間を埋めることで、前記中央ハブ１００は堅固な結合力を持つ構造体になり、これによって使用者の荷重を充分に支持できるほど丈夫な耐久性を持つようになる。
【００２１】
前記下部ショートフレーム２００は前記下部接続チューブ１３１に脱着できるように接続して繋がるし、例えば、前記下部ショートフレーム２００の上端部が前記下部接続チューブ１３１の内側に嵌合され、図７を参考すれば内部には弾性コードＤが備えられて容易に折りたたみが可能となり、下端には底キャップ２１１が備えられた底部２１０が形成されて底面に接触して支持されることで、４つのポイント基盤で支持体として作用する。
【００２２】
前記上部ショートフレーム３００は前記上部接続チューブ１２１に脱着できるように接続して繋がって、例えば、前記上部ショートフレーム３００の下端部が前記上部接続チューブ１２１の内側に嵌合されるし、内部には弾性コードＤが備えられて容易に折りたたみができるようになり、上端には端部キャップ３１１が備えられた挿入部３１０が形成され、椅子シーツ５００のシーツ部５１０のコーナーに形成されたポケット５４０の内部へ挿入して結合される。
【００２３】
前記上部ロングフレーム４００は前記上部接続チューブ１２１に脱着できるように接続して繋がって、例えば、前記上部ロングフレーム４００の下端部が前記上部接続チューブ１２１の内側に嵌合されるし、内部には弾性コードＤが備えられて容易に折りたたみが可能となり、上端には端部キャップ４１１が備えられた挿入部４１０が形成され、椅子シーツ５００のシーツ部５１０のコーナーに形成されたポケット５４０の内部へ挿入して結合される。
【００２４】
この時、前記上部ショートフレーム３００に比べて長さが長く備えられた前記上部ロングフレーム４００の支持力を補うために、前記上部ロングフレーム４００の下部には折曲部４２０がラウンドとなるように折曲形成されることで使用者の荷重をより十分に支持することができるようになる。
【００２５】
同時に、前記下部ショートフレーム２００、上部ショートフレーム３００及び上部ロングフレーム４００は内部に弾性コードＤが設けられ、それぞれが複数個のセクションからなることができるし、このような複数個のセクションは互いにかみ合って組み合わされる結合部において、いずれか一つのセクションが他のセクションの内部に挿入されて繋がるし、前記弾性コードＤは弾性を持つ線からなって各セクションを中へ引く作用をし、各フレームの中空形成された内部の孔の中を長手方向へと通過しながら複数個のセクションからなる部分を一つのフレームとして繋ぐ。
【００２６】
図６ａないし図６ｄを参考すれば、前記椅子シーツ５００はシーツ部５１０、背もたれ部５２０及び側部５３０を形成するが、前記上部ショートフレーム３００及び上部ロングフレーム４００の上端の両端が外側に向かって互いに開かれるように配置形成し、各挿入部３１０、４１０に備えられた端部キャップ３１１、４１１を椅子シーツ５００のコーナーに形成されたポケット５４０の内部に挿入して繋ぐと、前記挿入部３１０、４１０に繋がった椅子シーツ５００が引っぱられて、やや緊張状態となって下側には着席のためのシーツ部５１０が備えられるし、後方には背中を支えるように背もたれ部５２０が備えられ、両側には腕をかけられるように側部５３０が形成される。
【００２７】
また、着席者が座る部分であるシーツバック（ｓｅａｔ  ｂａｃｋ）と呼ばれる椅子シーツ５００はキャンバスのように製織された織物の切れじで作られるし、４つの角にはそれぞれチューブレセプタクル（ｔｕｂｅ  ｒｅｃｅｐｔａｃｌｅ）のようなポケット５４０が形成される。
【００２８】
前記ポケット５４０は、ポリエステル、ナイロン、アクリル、ポリウレタンの単独または合成からなる原反がウェッビング縫製されてなるし、前記挿入部３１０、４１０が内部または外部へスライドされるように構成されて脱着できるように繋がって、このように前記ポケット５４０が前記挿入部３１０、４１０に合うように繋がって椅子シーツ５００が開かれるようになる。そして、このように繋がった状態で前記上部ショートフレーム３００及び上部ロングフレーム４００は前記挿入部３１０、４１０をともに引っぱってやや緊張状態にあるようになり、これによってシーツ部５１０、背もたれ部５２０及び両側の側部５３０が形成されるし、使用者が椅子シーツ５００の上に着席できるようになる。
【００２９】
この時、前記挿入部３１０、４１０の端に形成された端部キャップ３１１、４１１が前記ポケット５４０の中にスライドされて入った後で密着され、前記上部ショートフレーム３００及び上部ロングフレーム４００の緊張された状態によってポケット５４０の内部と密着されることで、前記挿入部３１０、４１０が前記ポケット５４０から任意に離脱されなくなる。
【００３０】
前記上部ショートフレーム３００は椅子シーツ５００の前方に繋がって使用者が着席するシーツ部５１０を支持するようになり、前記上部ロングフレーム４００は椅子シーツ５００の後方に繋がって使用者が支えられる背もたれ部５２０を支持するようになり、同時に両側には側部５３０が形成されて使用者の両腕をかけて座ることができるように備えられる。
【００３１】
これと共に、前記椅子シーツ５００はシーツ部５１０が前記中央ハブ１００と接触されないようにピンと張っている緊張状態を維持しつつ、使用者の荷重が前記中央ハブ１００に直接加えられないようにすることで、フレーム構造体１の崩壊を防ぐことができる。
【００３２】
これによって、使用者の垂直荷重に対する支持力を補強すると同時に、使用者の後方へ偏る荷重に対する支持力が増加し、堅固な組み合わせが維持されて、使用者の荷重を充分に支持できるほど丈夫な耐久性を持つようになる。
【００３３】
前記下部ショートフレーム２００、上部ショートフレーム３００及び上部ロングフレーム４００の各セクションの組み合わせを解除して分離する場合、外部へ露出された前記弾性コードＤによって折りたたまれてコンパクトに変形されるので、図８のようなスキンＳで包んだり、図９のような小さいかばんＢに入れて保管及び携帯することが容易になる。
【００３４】
結局、本発明による簡易椅子のフレーム構造体１は組み立てが容易で、コンパクトに折りたたんで保管することができるので、携帯性が優秀であることは勿論、構造が簡単で、製造が容易であるため、中央ハブの支持を受けて堅固な結合力を持つ構造体となり、使用者の荷重を充分に支持できるほど丈夫な耐久性を持つ。
【００３５】
以上のように、本発明を説明するために任意の特定実施例について説明したが、本発明はこのような特定の実施例に限定されるのではない。よって、記述された実施例の様々な特徴部分の多様な修正、適用、そして組み合わせが特許登録の請求範囲に記載された本発明の領域を脱することなく行うことができる。
【産業上の利用可能性】
【００３６】
本発明による簡易椅子のフレーム構造体は組み立てが容易で、コンパクトに折りたたんで保管することができるので、携帯性が優秀であることは勿論、構造が簡単で、製造が容易なので、中央ハブの支持を受けて堅固な結合力を持つ構造体になり、使用者の荷重を充分に支持できるほど丈夫な耐久性を持つようになるので、産業上の利用可能性がある。
【図１】
2017507767.tif 000003
【図２】
2017507767.tif 000004
【図３】
2017507767.tif 000005
【図４】
2017507767.tif 000006
【図５】
2017507767.tif 000007
【図６ａ】
2017507767.tif 000008
【図６ｂ】
2017507767.tif 000009
【図６ｃ】
2017507767.tif 000010
【図６ｄ】
2017507767.tif 000011
【図７ａ】
2017507767.tif 000012
【図７ｂ】
2017507767.tif 000013
【図７ｃ】
2017507767.tif 000014
【図８】
2017507767.tif 000015
【図９】
2017507767.tif 000016
【国際調査報告】
2017507767.tif 000017
2017507767.tif 000018
2017507767.tif 000019
2017507767.tif 000020